(57)【特許請求の範囲】
【請求項１】
光学式センサにより得られた光強度信号を用いて、少なくとも脈波情報、脱酸素化ヘモグロビン濃度及び酸素化ヘモグロビン濃度の和の情報であるヘモグロビン濃度情報及び加速度脈波情報を含む生体情報を生成する生体情報生成部と、
前記生体情報生成部から前記生体情報を受け付けて、少なくとも脈波波形、ヘモグロビン濃度波形及び加速度脈波波形を同一画面上に同時に同期させて表示させる表示制御部とを備え、
前記表示制御部が、前記画面上のグラフ表示領域において、上下方向に沿って上から順に、ヘモグロビン濃度波形を示すグラフ、脈波波形を示すグラフ、及び、加速度脈波波形を示すグラフを並べて表示させる生体情報表示装置。
【請求項２】
前記生体情報が、推定血圧をさらに含み、
前記表示制御部が、前記脈波波形、前記ヘモグロビン濃度波形及び前記加速度脈波波形とともに、前記推定血圧を表示するものである、請求項１記載の生体情報表示装置。
【請求項３】
前記表示制御部が、前記脈波波形を示すグラフ、前記ヘモグロビン濃度波形を示すグラフ及び前記加速度脈波波形を示すグラフを上下方向又は左右方向の所定方向に一覧表示し、当該一覧表示した各グラフの時間軸の表示範囲が同じである、請求項１又は２記載の生体情報表示装置。
【発明の詳細な説明】
【技術分野】
【０００１】
本発明は、光学式センサを用いて非侵襲且つ連続的に得られた生体情報を表示する生体情報表示装置に関するものである。
【背景技術】
【０００２】
この種の生体情報表示装置としては、パルスオキシメータが知られている。パルスオキシメータは、赤色光を発する発光素子及び赤外光を発する発光素子を有する発光部と受光素子を有する受光部とを有し、前記発光素子により被験者（使用者）の例えば指又は耳等の生体の一部に光を照射して、前記受光素子により、前記生体の一部を反射及び透過する光の強度を測定して、血液の酸素飽和度を測定するように構成されている。
【０００３】
そして、このパルスオキシメータは、表示画面上に、脈拍数の数値及び酸素飽和度（ＳｐＯ２）の数値が表示されるように構成されている。なお、パルスオキシメータの中には、脈波波形を表示するものある。
【０００４】
また、生体情報表示装置には、特許文献１に示すように、パルスオキシメータから得られた酸素飽和度信号の波形と、パルスオキシメータから得られた脈波を示す波形又は脈拍数を示す波形と、呼吸センサから得られた呼吸信号波形と、呼吸センサから得られた音声信号波形とを表示装置に並べて表示するものが考えられている。この生体情報表示装置は、酸素飽和度信号の波形と呼吸信号の波形及び音声信号の波形とを同様な時間変化で並べて表示することで、例えば無呼吸・低呼吸の状態を、容易に且つ確実に判定することができるように構成されている。
【先行技術文献】
【特許文献】
【０００５】
【特許文献１】特開２００９−２４０６１０号公報
【発明の概要】
【発明が解決しようとする課題】
【０００６】
ところで、本願発明者は、酸素飽和度（ＳｐＯ２）とその他の生体情報を関連付けて表示するのではなく、ヘモグロビン濃度に着目し、当該ヘモグロビン濃度と、脈波及び加速度脈波とを関連付けて表示することによって、ヘモグロビン濃度と、脈波及び加速度脈波との関係から、健康管理を行うことを考えている。
【０００７】
そこで本発明は、ヘモグロビン濃度と脈波及び加速度脈波とを関連付けて表示することによって、ヘモグロビン濃度と脈波及び加速度脈波との関係から、適切な健康管理を行うことができる生体情報表示装置を提供することをその主たる課題とするものである。
【課題を解決するための手段】
【０００８】
すなわち本発明に係る生体情報表示装置は、光学式センサにより得られた光強度信号を用いて、少なくとも脈波情報、ヘモグロビン濃度情報及び加速度脈波情報を含む生体情報を生成する生体情報生成部と、前記生体情報生成部から前記生体情報を受け付けて、少なくとも脈波波形、ヘモグロビン濃度波形及び加速度脈波波形を同一画面上に同時に同期させて表示させる表示制御部とを備えることを特徴とする。
【０００９】
このようなものであれば、少なくとも脈波波形、ヘモグロビン濃度波形及び加速度脈波波形を同一画面上に同期させて表示しているので、ヘモグロビン濃度と脈波及び加速度脈波との相互の関係から、適切な健康管理を行うことができる。
ここで、従来のように基本的に各種測定結果を数値で表示するものでは、各種測定結果の関連性が分かり難く、被験者（使用者）の疾患又はその疾患の原因を把握又は予測し難い。一方で、本発明は、少なくとも脈波、ヘモグロビン濃度及び加速度脈波をそれぞれ波形で表示しているので、脈波、ヘモグロビン濃度及び加速度の変化態様を見比べることで、被験者（使用者）の疾患又はその疾患の原因を把握又は予測いし易くすることができる。
具体的には、不整脈を診断する場合には、脈波（脈拍）だけでは把握が難しいが、当該脈拍とともに、加速度脈波を用いることで把握することができる。
また、生理的変動に伴って変化する、ヘモグロビン濃度、脈波及び加速度脈波の関係から、被験者の健康診断を行うことができる。例えば、ヘモグロビン濃度が高い場合には、脱水症状等の疾患が疑われ、このときの脈波及び加速度脈波を見ることで、脱水症状等であるか否かをより確実に判断することができる。また、ヘモグロビン濃度が低い場合には、真正多血省や貧血等の疾患が疑われ、このときの脈波及び加速度脈波を見ることで、貧血等であるか否かをより確実に判断することができる。
その他、前記生体情報が、血中酸素濃度（ＳｐＯ２）情報をさらに含み、前記表示制御部が、前記脈波波形、前記ヘモグロビン濃度波形及び前記加速度脈波波形とともに、ＳｐＯ２波形を表示するものであれば、組織の生死判定を行うこともできる。
【００１０】
生体情報表示装置の使い勝手をより良くするためには、前記生体情報が、推定血圧をさらに含み、前記表示制御部が、前記脈波波形、前記ヘモグロビン濃度波形及び前記加速度脈波波形とともに、前記推定血圧を表示するものであることが望ましい。
【００１１】
前記表示制御部が、前記脈波波形を示すグラフ、前記ヘモグロビン濃度波形を示すグラフ及び前記加速度脈波波形を示すグラフを上下方向又は左右方向の所定方向に一覧表示し、当該一覧表示した各グラフの時間軸の表示範囲が同じであることが望ましい。
これならば、脳波波形、ヘモグロビン濃度波形及び加速度脈波波形の時間的な対応関係を一見して認識することができ、生体情報表示装置の使い勝手をより一層向上させることができる。
【発明の効果】
【００１２】
このような構成の本発明によれば、少なくとも脈波波形、ヘモグロビン濃度波形及び加速度脈波波形を同一画面上に同時に同期させて表示するので、ヘモグロビン濃度と脈波及び加速度脈波との相互の関係から、適切な健康管理を行うことができる。
【図面の簡単な説明】
【００１３】
【図１】本実施形態に係る生体情報計測システムの構成を模式的に示す図。
【図２】同実施形態の計測ユニットを模式的に示す平面図及びＡ−Ａ線断面図。
【図３】脱酸素化ヘモグロビン及び酸素化ヘモグロビンの吸収係数（モル分子吸光係数）を示すグラフ。
【図４】同実施形態の情報処理ユニットの構成を模式的に示す図。
【図５】同実施形態の演算処理部の機能を示す図。
【図６】同実施形態の表示制御部による表示画面を示す図。
【発明を実施するための形態】
【００１４】
以下に本発明の生体情報表示装置を用いた生体情報計測システムの一実施形態について図面を参照して説明する。
【００１５】
本実施形態の生体情報計測システム１００は、被験者（使用者）の生体情報を非侵襲且つ連続的に計測するものであり、使用者の手首の血管を流れる血液から少なくとも脈拍及び血中酸素濃度を取得する手首装着型パルスオキシメータである。
【００１６】
具体的にこの生体情報計測システム１００は、図１に示すように、使用者の手首に装着される計測ユニット２と、当該計測ユニット２により得られたデータを演算処理して生体情報を生成する情報処理ユニット３とを備えている。
【００１７】
まず、計測ユニット２について詳述する。
計測ユニット２は、手首の動脈を通る血液に検査光を照射するとともに、当該血液により反射して手首の生体組織を透過して外部に出た反射光を検出するものである。
【００１８】
具体的に計測ユニット２は、図１及び図２に示すように、手首に巻回されて装着される巻回タイプのものであり、前記検査光を手首に照射するとともに前記反射光を検出する光学センサ部２１と、当該光学センサ部２１が取り付けられ、手首に巻回される装着ベルト２２とを備えている。なお、装着ベルト２２は、手首に装着できる構成であれば良く、例えば面ファスナーやバックル等を有するものが考えられる。
【００１９】
光学センサ部２１は、特に図２に示すように、互いに波長の異なる赤外光を検査光として手首に照射する発光部２１１と、手首の生体組織を透過して外部に出た赤外光を受光する受光素子２１２ａを有する受光部２１２と、発光部２１１及び受光部２１２を支持する計測基板２１３とを備えている。
【００２０】
発光部２１１は、第１波長の赤外光を射出する第１発光素子２１１ａ及び第１波長よりも波長の長い第２波長の赤外光を射出する第２発光素子２１１ｂを有する。
【００２１】
第１発光素子２１１ａ及び第２発光素子２１１ｂはともにＬＥＤから構成されており、例えば表面実装型ＬＥＤであり、集光レンズが一体に形成されたレンズ付きのものであっても良い。
【００２２】
そして、本実施形態の第１発光素子２１１ａの第１波長及び第２発光素子２１１ｂの第２波長は、次のように設定されている。
つまり、図３に示すように、第１波長における脱酸素化ヘモグロビン及び酸素化ヘモグロビンの吸収係数（脱酸素化ヘモグロビンの吸収係数（モル分子吸光係数）と酸素化ヘモグロビンの吸収係数（モル分子吸光係数）との和）と、第２波長における脱酸素化ヘモグロビン及び酸素化ヘモグロビンの吸収係数とが実質的に同一となるように設定されている。より具体的には、第１波長は、脱酸素化ヘモグロビンの吸収係数と酸素化ヘモグロビンの吸収係数が同一となる等吸収点の波長（約８０５ｎｍ）よりも短い波長であり、第２波長は、前記等吸収点の波長（約８０５ｎｍ）よりも長い波長である。具体的に本実施形態では、第１波長は７６０ｎｍであり、第２波長は８５０ｎｍである。
【００２３】
このように、第１波長における脱酸素化ヘモグロビン及び酸素化ヘモグロビンの吸収係数と第２波長における脱酸素化ヘモグロビン及び酸素化ヘモグロビンの吸収係数とが実質的に同一となるように、第１波長及び第２波長が設定されているので、後述する情報処理ユニット３における信号処理、具体的には、信号処理回路３２における増幅率を、第１波長及び第２波長の区別無く同一にすることができ、信号処理を簡易にすることができる。
また、単一の増幅回路により同一の増幅率で信号を増幅することにより、第１波長の信号（電圧信号）と第２波長の信号（電圧信号）とで、増幅により生じるノイズを同じにすることができる。これにより、後述するヘモグロビン濃度等の測定精度を向上させることができる。
さらに、手首装着型の計測ユニット２において、従来のように６４０ｎｍ（赤色光）及び９４０ｎｍ（赤外光）を用いたものでは、動脈まで光が届きにくくＳ／Ｎ比が悪くなってしまうが、本実施形態では第１波長及び第２波長を赤外波長領域から選択しているので、動脈まで光を届かせることができ、Ｓ／Ｎ比を良くすることができる。つまり、各発光素子２１１ａ、２１１ｂの波長を赤外波長領域から選択することで、手首装着型の計測ユニット２に好適に用いることができる。
【００２４】
受光部２１２は、第１波長の赤外光及び第２波長の赤外光に対して検出感度を有する受光素子２１２ａを有しており、本実施形態では、第１波長（７６０ｎｍ）及び第２波長（８５０ｎｍ）を含む感度波長範囲を有するセラミックパッケージフォトダイオードである。セラミックパッケージフォトダイオードを用いることで、パッケージの側面等からの迷光入射が防ぎ、高精度に赤外光を測定することができる。
なお、受光部２１２は、第１波長の赤外光を検出する第１受光素子及び第２波長の赤外光を検出する第２受光素子を有するものであっても良い。
【００２５】
計測基板２１３は、前記第１発光素子２１１ａ、第２発光素子２１１ｂ及び受光素子２１２ａが固定されるとともに発光素子２１１ａ、２１１ｂに給電するための配線及び受光素子２１２ａにより生じた逆電流を検出するための配線が施されている。また、本実施形態の計測基板２１３には、受光素子２１２ａにより生じた逆電流を電圧に変換するための電流−電圧変換回路２１４（図４参照）が搭載されている。なお、本実施形態の計測基板２１３は、平板状をなすものである。なお、第１発光素子２１１ａ及び第２発光素子２１１ｂへの給電の制御及び受光素子２１２ａにより得られた電圧信号の演算処理は、後述する情報処理ユニット３により行われる。
【００２６】
この光学センサ部２１において、図２に示すように、第１発光素子２１１ａ及び第２発光素子２１１ｂと受光素子２１２ａとの高さ位置が、所定の基準面に対して互いに異なるように構成されている。
【００２７】
具体的には、受光素子２１２ａの受光面（不図示）の高さ位置が、計測基板２１３の取り付け面２１３ｘに対して、第１発光素子２１１ａ及び第２発光素子２１１ｂの発光面（不図示）の高さ位置よりも高くなるように固定されている。つまり、受光素子２１２ａの受光面が、計測基板２１３の取り付け面２１３ｘに対して、第１発光素子２１１ａ及び第２発光素子２１１ｂの発光面よりも前方に位置している。これにより、計測ユニット２を手首に装着した状態において、受光素子２１２ａが手首側に位置することになる。これにより、第１発光素子２１１ａ及び第２発光素子２１１ｂからの直接光が受光素子２１２ａに直接受光されることを一層防ぐことができる。
【００２８】
また、本実施形態の計測ユニット２は、計測基板２１３と手首との間に設けられ、光学センサ部２１の手首に対する接触圧を調整するクッション部材２３を備えている。
【００２９】
クッション部材２３は、光学センサ部２１が手首に与える接触圧を分散及び均一化するものであり、スポンジ状をなすゴムから形成されており、発光部２１１を構成する第１発光素子２１１ａ及び第２発光素子２１１ｂと、受光部２１２を構成する受光素子２１２ａの周囲を取り囲むように構成されている。具体的にクッション部材２３は、計測基板２１３の取り付け面２１３ｘに固定されており、第１発光素子２１１ａが内部に配置される第１収容孔部２３１と、第２発光素子２１１ｂが内部に配置される第２収容孔部２３２と、受光素子２１２ａが内部に配置される受光用収容孔部２３３とが形成されている。
【００３０】
このように構成したクッション部材２３において、第１収容孔部２３１と受光用収容孔部２３３との間の部分２３４が第１発光素子２１１ａと受光素子２１２ａとの間を仕切る仕切壁部となり、第２収容孔部２３２と受光用収容孔部２３３との間の部分２３５が第２発光素子２１１ｂと受光素子２１２ａとの間を仕切る仕切壁部となる。これにより、第１発光素子２１１ａ及び第２発光素子２１１ｂからの直接光が受光素子２１２ａに直接受光されることを一層防ぐことができる。
【００３１】
次に、情報処理ユニット３について詳述する。
情報処理ユニット３は、計測ユニット２の発光部２１１を制御するとともに、受光部２１２により得られた電圧信号を処理して、生体情報を生成するものである。
【００３２】
具体的に情報処理ユニット３は、図４に示すように、第１発光素子２１１ａ及び第２発光素子２１１ｂを交互点灯させるためのＬＥＤ制御回路部３１と、電流−電圧変換回路２１４から出力される電圧信号を増幅して波長毎の電圧信号に分離する信号処理回路部３２と、信号処理回路部３２により得られた各波長の電圧信号から生体情報を生成する演算処理部３３とを有している。なお、本実施形態では、ＬＥＤ制御回路部３１及び信号処理回路部３２は、単一のメイン基板３００上に搭載されている。
【００３３】
ＬＥＤ制御回路部３１は、所定の周期で第１発光素子２１１ａ及び第２発光素子２１１ｂを交互点灯させるものであり、例えば、タイマーＩＣとシュミットトリガーとを用いて構成されている。なお、ＬＥＤ制御回路部３１は、計測基板２１３（発光部２１１）と電気ケーブルにより接続されている。
【００３４】
信号処理回路部３２は、電流−電圧変換回路２１４から出力される電圧信号（アナログ信号）を増幅するオペアンプを用いた増幅回路と、増幅された電圧信号を各発光素子の発光タイミングに同期させて、第１発光素子２１１ａが発光した際に得られた電圧信号と第２発光素子２１１ｂが発光した際に得られた電圧信号とに分離するものである。なお、信号処理回路部３２は、計測基板２１３（電流−電圧変換回路２１４）と電気ケーブルにより接続されているとともに、演算処理部３３と電気ケーブルにより接続されている。
【００３５】
演算処理部３３は、信号処理回路部３２により得られた各波長の電圧信号を取得してデジタル信号に変換するとともに、当該デジタル信号を演算処理することにより、生体情報を生成する。なお、演算処理部３３は、ＣＰＵ、メモリ、ＡＤ変換器、入出力インターフェイス、キーボードやマウス等の入力手段及びディスプレイを有する専用乃至汎用のコンピュータである。なお、入力手段及びディスプレイが一体とされたタッチパネルディスプレイであっても良い。
【００３６】
そして、この演算処理部３３は、前記メモリに格納された各種プログラムをＣＰＵによって実行することにより、図５に示すように、信号受付部３３ａ、生体情報生成部３３ｂ、表示制御部３３ｃ、ユーザ入力受付部３３ｄ等の機能を発揮するものである。
【００３７】
信号受付部３３ａは、信号処理回路部３２により得られた各波長の電圧信号を取得してデジタル信号に変換して、光強度信号を生成するものである。
【００３８】
生体情報生成部３３ｂは、信号受付部３３ａにより得られた光強度信号を取得して、当該光強度信号を用いて各種生体情報を生成するものである。
【００３９】
具体的に生体情報生成部３３ｂは、第１波長の光強度信号又は第２波長の光強度信号を用いて脈波情報又は脈拍情報を生成し、前記脈波情報を２回微分することにより、加速度脈波情報を生成する。
また、生体情報生成部３３ｂは、第１波長の光強度信号から、第１波長の赤外光を照射した場合の第１吸収係数を算出するとともに、第２波長の光強度信号から、第２波長の赤外光を照射した場合の第２吸収係数を算出して、これら第１吸収係数及び第２吸収係数を用いて、血液中のヘモグロビン濃度（脱酸素化ヘモグロビン濃度及び酸素化ヘモグロビン濃度の和）を算出して、ヘモグロビン濃度情報を生成する。
さらに、生体情報生成部３３ｂは、第１吸収係数及び第２吸収係数を用いて血中酸素濃度（ＳｐＯ２）を算出し、血中酸素濃度情報を生成する。
【００４０】
表示制御部３３ｃは、前記生体情報生成部３３ｂにより得られた各種生体情報をディスプレイ上に表示するものである。
【００４１】
具体的に表示制御部３３ｃは、図６に示すように、ディスプレイの画面上に、機器制御設定領域Ｗ１、計算用パラメータ設定領域Ｗ２、グラフ用パラメータ設定領域Ｗ３、ピーク計算領域Ｗ４及びグラフ表示領域Ｗ５を表示するものである。
【００４２】
本実施形態では、機器制御設定領域Ｗ１、計算用パラメータ設定領域Ｗ２、グラフ用パラメータ設定領域Ｗ３及びピーク計算領域Ｗ４を画面の左領域に上下方向に一覧表示し、画面の右側にグラフ表示領域Ｗ５を表示した場合を示しているが、各領域Ｗ１〜Ｗ５の配置態様は、これに限られない。
【００４３】
機器制御設定領域Ｗ１は、点灯させる発光素子（ＣＮ１〜ＣＮ４のチェックボックス）の選択、及び選択した発光素子の光量調整（Ｒａｎｇｅ（±５Ｖ））の設定、交互点灯の周期（Ｃｌｏｃｋ  Ｉｎｔｅｒｖａｌ＝１０００）の設定、及び、測定開始（Ｓｔａｒｔボタン）、測定終了（Ｓｔｏｐボタン）、及び、測定データ記録（Ｓａｖｅボタン）を行うためのものである。なお、これらの設定は、使用者が入力手段を用いて行い、当該入力手段による入力信号は、ユーザ入力受付部３３ｄにより受け付けられる。
【００４４】
計算用パラメータ設定領域Ｗ２は、酸素化ヘモグロビン濃度、脱酸素化ヘモグロビン濃度及び全ヘモグロビン濃度を計算するためのパラメータの設定、血中酸素濃度（ＳｐＯ２）を計算するためのパラメータの設定、加速度脈波を計算するためのパラメータの設定などを行うためのものである。なお、これらの設定は、使用者が入力手段を用いて行い、当該入力手段による入力信号は、ユーザ入力受付部３３ｄにより受け付けられる。
【００４５】
グラフ用パラメータ設定領域Ｗ３は、グラフの描画間隔及び表示範囲の設定、各グラフの縦軸の最大値及び最小値の設定を行うためのものである。また、ピーク計算領域Ｗ４は、脈、酸素度、脈間隔、吸収率などのピーク値を表示する領域である。なお、これらの設定は、使用者が入力手段を用いて行い、当該入力手段による入力信号は、ユーザ入力受付部３３ｄにより受け付けられる。
【００４６】
そして、グラフ表示領域Ｗ５には、脈波波形、ヘモグロビン濃度波形、加速度脈波波形及びＳｐＯ２波形が表示される。具体的には、グラフ表示領域Ｗ５において、上下方向に沿って、脈波波形を示すグラフＧ１、ヘモグロビン濃度波形を示すグラフＧ２、加速度脈波波形を示すグラフＧ３及びＳｐＯ２波形を示すグラフＧ４が一覧表示される。本実施形態では、上から順に、ヘモグロビン濃度波形を示すグラフＧ２、ＳｐＯ２波形を示すグラフＧ４、脈波波形を示すグラフＧ１、及び、加速度脈波波形を示すグラフＧ３が並べて表示されている。
【００４７】
そして、各グラフＧ１〜Ｇ４の時間軸は、横軸に設定されており、各グラフＧ１〜Ｇ４の時間軸の表示範囲が同じになるように表示されている。なお、この横軸の表示範囲及び時間間隔は、グラフ用パラメータ設定領域Ｗ３の表示範囲の入力欄及び描画間隔の入力欄に任意の数値を入力することによって変更可能である。本実施形態では、グラフ用パラメータ設定領域Ｗ３の表示範囲及び描画間隔によりそれらを設定することによって、全てのグラフＧ１〜Ｇ４の時間軸を一括して変更可能に構成している。また、各グラフＧ１〜Ｇ４の縦軸の最大値及び最小値もグラフ用パラメータ設定領域Ｗ３の各グラフＧ１〜Ｇ４に対応する入力欄に任意の数値を入力することによってグラフＧ１〜Ｇ４毎に変更可能である。
【００４８】
＜本実施形態の効果＞
このように構成した本実施形態に係る生体情報計測システム１００によれば、少なくとも脈波波形、ヘモグロビン濃度波形及び加速度脈波波形を同一画面上に同期させて表示しているので、ヘモグロビン濃度と脈波及び加速度脈波との相互の関係から、適切な健康管理を行うことができる。例えば、生理的変動に伴うヘモグロビン濃度と脈波及び加速度脈波との関係から、被験者の健康診断を行うことができる。
また、脈波波形を示すグラフ、ヘモグロビン濃度波形を示すグラフ及び加速度脈波波形を示すグラフを上下方向に一覧表示し、当該一覧表示した各グラフの時間軸の表示範囲が同じであるので、脳波波形、ヘモグロビン濃度波形及び加速度脈波波形の時間的な対応関係を一見して認識することができ、生体情報表示装置の使い勝手をより一層向上させることができる。
【００４９】
＜その他の変形実施形態＞
なお、本発明は前記実施形態に限られるものではない。
【００５０】
例えば、生体情報生成部は、前記加速度脈波から推定血圧を算出し、推定血圧情報を生成するものであり、表示制御部が、各種波形に加えて推定血圧を表示するように攻勢しても良い。
【００５１】
また、前記実施形態では、脈波波形、ヘモグロビン濃度波形及び加速度脈波波形の他にＳｐＯ２波形を同時に表示するものであったが、ＳｐＯ２波形を表示しないように構成しても良い。また、波形の一覧表示の配置順を変更可能に構成しても良い。
【００５２】
さらに、前記実施形態は、巻回タイプの計測ユニットについて説明したが、手首を手のひら側及び手の甲側から挟むクリップタイプの計測ユニットであっても良い。
【００５３】
その上、前記実施形態では、受光素子の受光面の高さ位置が発光素子の発光面の高さ位置よりも高くなるように構成されているが、逆の関係であっても良い。
【００５４】
加えて、前記実施形態では、手首装着型パルスオキシメータであったが、指又は耳等のその他の生体部分に装着されるものであっても良いし、パルスオキシメータ以外の生体情報計測システムに適用することもできる。
【００５５】
その他、本発明は前記実施形態に限られず、その趣旨を逸脱しない範囲で種々の変形が可能であるのは言うまでもない。
【符号の説明】
【００５６】
１００・・・生体情報計測システム
３３ｂ・・・生体情報生成部
３３ｃ・・・表示制御部
Ｇ１  ・・・脈波波形を示すグラフ
Ｇ２  ・・・ヘモグロビン濃度波形を示すグラフ
Ｇ３  ・・・加速度脈波波形を示すグラフ
【図１】
0006530892.tif 000002
【図２】
0006530892.tif 000003
【図３】
0006530892.tif 000004
【図４】
0006530892.tif 000005
【図５】
0006530892.tif 000006
【図６】
0006530892.tif 000007